(57)【要約】      （修正有）【課題】シート背面の可動テーブルを引き出して使用位置で停止する際に衝撃が発生せず、可動テーブルの引出しおよび収納両方向の操作が滑らかにでき、摩擦音等が発生しないテーブルの支持構造の提供。【解決手段】使用位置に引き出した可動テーブル本体を収納位置に戻すときは、使用者が手で可動テーブル本体の裏面に手を当てて、あるいは縁部を掴んで収納位置方向に回動させる。その操作の際に、テーブル支え板２３にはトーションスプリングのレバー部５１ｃの弾性応力によって収納位置方向へ回動付勢されているので、この付勢が無い場合に比して小さな力で可動テーブル本体を収納位置まで戻すことができる。しかも回転を阻止する摩擦部材が無いので、異音が発生することも無い。トーションスプリングのレバー部５１ｃをテーブル支え板２３に形成した溝２３ｅ内に収納すれば、凸部が発生せず他の部材との干渉の虞れが無く、コンパクトに装着できる。【選択図】  図４
2006327286.tif 000002
【特許請求の範囲】
【請求項１】
シートバックの背面側に、下端の軸部が、シートの固定構造物に固定された軸または軸受を介して揺動自在に枢支された左右一対のテーブル支え板と、該一対のテーブル支え板の上端部間に枢支され、該一対のテーブル支え板によって、シートバックの背面に沿う収納位置と、該収納位置から引き出されたときに略水平な使用位置に保持される可動テーブル本体とを備え、前記一対のテーブル支え板の少なくとも一方を前記使用位置から収納位置方向に回動付勢する弾性付勢手段を備えたシート背面用テーブルの支持構造であって、
両端部が前記シートの固定構造物に対して支持された可撓性のアウターケーシングと、
このアウターケーシングに挿通された可撓性のインナーケーブルと、
弾性部材とを備え、
前記アウターケーシングの一方の端部から突出した前記インナーケーブルの一方の端部が前記テーブル支え板の軸部近傍部に連結され、前記アウターケーシングの他方の端部から突出した前記インナーケーブルの他方の端部に前記弾性部材が連結され、この弾性部材によって前記インナーケーブルが、前記テーブル支え板を前記使用位置から収納位置方向に回動付勢する方向に弾性的に引かれること、を特徴とするシート背面用テーブルの支持構造。
【請求項２】
請求項１記載のシート背面用テーブルの支持構造において、前記弾性部材は、一方の端部が前記インナーケーブルの他方の端部に連結され、他方の端部がシートの固定構造物に対して連結された引張ばねであるシート背面用テーブルの支持構造。
【請求項３】
請求項２記載のシート背面用テーブルの支持構造において、前記テーブル支え板が収納位置または収納位置からその近傍位置にあるときは、前記インナーケーブルに遊びを生じるように設定されているシート背面用テーブルの支持構造。
【請求項４】
シートバックの背面側に、下端の軸部が、シートの固定構造物に固定された軸または軸受を介して揺動自在に枢支された左右一対のテーブル支え板と、該一対のテーブル支え板の上端部間に枢支され、該一対のテーブル支え板によって、シートバックの背面に沿う収納位置と、該収納位置から引き出されたときに略水平な使用位置に保持される可動テーブル本体とを備え、前記一対のテーブル支え板を前記使用位置から収納位置方向に回動付勢する弾性付勢手段を備えたシート背面用テーブルの支持構造であって、
前記弾性付勢手段は、前記テーブル支え板と該テーブル支え板の軸部を支持する前記固定構造物との間に配設されたねじりばねを含み、このねじりばねは、前記シートの固定構造物に沿って一対のテーブル支え板の間を延びる該固定構造物に固定された支持部と、該支持部の両端部から屈曲したレバー部を有し、該レバー部の先端自由端部が前記各テーブル支え板に係合されていることを特徴とするシート背面用テーブルの支持構造。
【発明の詳細な説明】
【技術分野】
【０００１】
本発明は、鉄道車両等のシートに装着されるシート背面用テーブルの支持構造に関する。
【背景技術】
【０００２】
従来、鉄道車両、航空機等のシートには、そのシートバックの背面側に、後部シートの乗客が使用するテーブルとして、シートバックと一体化する収納位置と可動テーブル本体が水平に保持される使用位置とに移動可能なシート背面用テーブルが装備されている。図７および図８に、３人掛けシートを前方から見た斜視図および後方から見た斜視図を示した。この車両用シートは、脚台１１に対して回転自在に枢支された台枠フレーム１２に、三人分の座ぶとんシート１３およびシートバック１４が装着されている。各座席は、跳ね上げ収納式の肘掛け１８によって仕切られている。
【０００３】
各シートバック１４の背面には、テーブルが装着されている。各テーブルは、可動テーブル本体１２１と該可動テーブル本体１２１の両端部を、テーブル軸１２２を介して先端部で枢支する一対のテーブル支え板（スティ）１２３とを備えている。各テーブル支え板１２３は、下端部が台枠フレーム１２に対して固定された軸１１７に揺動自在に枢支されている（図９）。可動テーブル本体１２１およびテーブル支え板１２３は、可動テーブル本体１２１がシートバック１４の背面と対面した状態でシートバック１４の収納凹部１５内に収納された、シートバック１４と一体化する収納位置（図８の左端および中央の可動テーブル本体１２１）と、テーブル支え板１２３が下端部の軸１１７を中心に回動し、可動テーブル本体１２１が水平状態となる位置まで引き出された使用位置（図８の右端の可動テーブル本体１２１）とに移動可能に形成されている。可動テーブル本体１２１は、収納位置において、シートバック１４に回動自在に装着されたテーブルストッパ１６によって掛止されている。
【０００４】
テーブル支え板１２３は、下端部に形成された軸受ボス１２４が軸１１７に回動自在に嵌合され、軸受ボス１２４の近傍に設けられたストッパ片１２３ａが、台枠フレーム１２に設けられたストッパボルト１１８に当接して使用位置に保持される。この使用状態において可動テーブル本体１２１も、使用者側の縁部が水平位置から下がらないように回動規制されている。
【０００５】
このような従来のシートバック背面用テーブルの可動テーブル本体１２１は、通常、収納位置においてテーブルストッパ１６により使用位置方向に移動しないように掛止されている。テーブルストッパ１６による掛止が解除されると、可動テーブル本体１２１およびテーブル支え板１２３は、自重で使用位置方向に回動移動する。そのため、使用者が可動テーブル本体１２１を押さえないでテーブルストッパ１６による掛止を解除すると、可動テーブル本体１２１およびテーブル支え板１２３は急激に使用位置まで回動落下して、テーブル支え板１２３のストッパ片１２３ａがストッパボルト１１８に衝突して衝撃力が前席に伝わり、前席の使用者に不快感を与えてしまう。
【０００６】
そこで出願人は、テーブル支え板１２３の軸受ボス１２４に径方向の貫通穴を形成し、この貫通穴に緩衝部材１２６を挿入し、さらにねじ１２７で緩衝部材１２６を軸１１７の外周面に押圧させて、テーブル支え板１２３が回動する際に緩衝部材１２６と軸１１７との間に摩擦抵抗を発生させてテーブル支え板１２３の回転を抑制する座席背面用テーブルの支持構造を提案した（特許文献１）。
【特許文献１】特開２００４−３５９０８４号公報
【発明の開示】
【発明が解決しようとする課題】
【０００７】
しかしこの公知構造は、可動テーブル本体を使用位置から収納位置に戻す操作に対してもテーブル支え板１２３の回動を抑制する摩擦力が発生するため、余分な操作力が必要になる。また、摩擦力が増加すると擦れによる異音が発生する。
【０００８】
本発明は、かかる従来技術の問題に鑑みてなされたものであって、シート背面の可動テーブルを引き出して使用位置で停止する際に衝撃が発生せず、可動テーブルの引出しおよび収納両方向の操作が滑らかにでき、摩擦音等が発生しないシート背面用テーブルの支持構造を提供することを目的とする。
【課題を解決するための手段】
【０００９】
かかる課題を解決する本発明は、シートバックの背面側に、下端の軸部が、シートの固定構造物に固定された軸または軸受を介して揺動自在に枢支された左右一対のテーブル支え板と、該一対のテーブル支え板の上端部間に枢支され、該一対のテーブル支え板によって、シートバックの背面に沿う収納位置と、該収納位置から引き出されたときに略水平な使用位置に保持される可動テーブル本体とを備え、前記一対のテーブル支え板の少なくとも一方を前記使用位置から収納位置方向に回動付勢する弾性付勢手段を備えたシート背面用テーブルの支持構造であって、両端部が前記シートの固定構造物に対して支持された可撓性のアウターケーシングと、このアウターケーシングに挿通された可撓性のインナーケーブルと、弾性部材とを備え、前記アウターケーシングの一方の端部から突出した前記インナーケーブルの一方の端部が前記テーブル支え板の軸部近傍部に連結され、前記アウターケーシングの他方の端部から突出した前記インナーケーブルの他方の端部に前記弾性部材が連結され、この弾性部材によって前記インナーケーブルが、前記テーブル支え板を前記使用位置から収納位置方向に回動付勢する方向に弾性的に引かれることに特徴を有する。
【００１０】
好ましい実施形態では、前記弾性部材は、一方の端部が前記インナーケーブルの他方の端部に連結され、他方の端部がシートの固定構造物に対して連結された引張ばねとする。
【００１１】
前記テーブル支え板が収納位置または収納位置からその近傍位置にあるときは、前記インナーケーブルに遊びを生じるように設定ことが好ましい。この構成によれば、可動テーブル本体を収納位置から引き出す操作が容易になるとともに、使用位置に引き出した可動テーブル本体を収納位置に戻すときに、可動テーブル本体が引張ばねの付勢力によってシートバックに勢いよく当たることがない。
【００１２】
別の観点からなる好ましい実施形態では、シートバックの背面側に、下端の軸部が、シートの固定構造物に固定された軸または軸受を介して揺動自在に枢支された左右一対のテーブル支え板と、該一対のテーブル支え板の上端部間に枢支され、該一対のテーブル支え板によって、シートバックの背面に沿う収納位置と、該収納位置から引き出されたときに略水平な使用位置に保持される可動テーブル本体とを備え、前記一対のテーブル支え板を前記使用位置から収納位置方向に回動付勢する弾性付勢手段を備えたシート背面用テーブルの支持構造であって、前記弾性付勢手段は、前記テーブル支え板と該テーブル支え板の軸部を支持する前記固定構造物との間に配設されたねじりばねを含み、このねじりばねは、前記シートの固定構造物に沿って一対のテーブル支え板の間を延びる該固定構造物に固定された支持部と、該支持部の両端部から屈曲したレバー部を有し、該レバー部の先端自由端部が前記各テーブル支え板に係合されていることに特徴を有する。
【発明の効果】
【００１３】
本発明によれば、可動テーブル本体を支持するテーブル支え板を使用位置から収納位置方向に付勢する弾性付勢手段として、アウターケーシングに収納したインナーケーブルによって弾性部材の弾性応力を可動テーブル本体に伝達するので、弾性部材を装着する位置の自由度が増す。
別の観点からなる本発明によれば、弾性付勢手段が、シートの固定構造物に沿って一対のテーブル支え板の間を延びる該固定構造物に固定された支持部と、該支持部の両端部から屈曲したレバー部を有し、該レバー部の先端自由端部が前記各テーブル支え板に係合されているので、一対のテーブル支え板を付勢する部材を一度に装着できるので組み立てが容易である。
これら本発明によれば、回転抑制のための摩擦部材が無いので、異音を発生することが無い。
【発明を実施するための最良の形態】
【００１４】
本発明を適用したシート背面用テーブルを装着する車両用シートおよび車両用シートに装着した外観状態では、図８に示した構造と同様である。そこで、本発明の実施形態であるテーブル支え板２３の軸部周辺の構造について図１乃至図７を参照して説明する。図１は、本発明の第１の実施形態であるテーブル支え板およびその周辺構造を示す斜視図、図２は同側面図、図３は図２の矢視III方向に見た部分平面図である。
【００１５】
可動テーブル本体１２１は合成樹脂で形成されていて、両側面の端部から外方に突出したテーブル軸１２２が、一対のテーブル支え板（スティ）２３の先端部に形成されたテーブル軸穴２３ａに回動自在に支持される。可動テーブル本体１２１は、テーブル軸１２２の近傍にストッパ軸１２２ａが突設されていて、このストッパ軸１２２ａが、テーブル支え板２３に形成された円弧状のストッパ溝２３ｂに嵌入されている。このストッパ溝２３ｂはテーブル軸１２２を軸心とした円弧状に形成されていて、可動テーブル本体１２１の上面がシートバック１４の収納凹部１５に対向する収納位置と、上面が略水平になる使用状態との間で回動を許容し、かつ使用状態において略水平状態から使用者側（自由端側）が下がらないように係止するストッパとして作用する。
【００１６】
テーブル支え板２３は、アルミなどの金属により棒状に形成されていて、通常は、剛性強度確保のために、横断面Ｈ形状もしくはＩ形状に形成される。テーブル支え板２３の下端部には軸穴が形成され、該軸穴に挿通された支持軸２５によって、シートの固定構造である台枠フレーム１２に対して揺動自在に枢支されている。一対のテーブル支え板２３の形状および一対のテーブル支え板２３を台枠フレーム１２に対して揺動可能に支持する構造はシートバック１４の左右で対称または同一なので、一方のテーブル支え板２３に関する構造について説明する。
【００１７】
テーブル支え板２３を揺動自在に枢支する支持軸２５は、シートバック１４を支持する背摺りフレーム１９の支持軸と共用されていて、袖フレーム１７の直立部１７ａに固定されている。袖フレーム１７は、側面形状が直立部１７ａおよび水平部１７ｂを有する略Ｌ字形状を呈している。そうしてこの袖フレーム１７は、シートバック１４とシートバック１４の間、または両端のシートバック１４の横方向外方に直立部１７ａが位置するように配置されて、水平部１７ｂの前後端部が台枠フレーム１２の前後部分に固定されている。支持軸２５は、この直立部１７ａの側面に対して、台枠フレーム１２と平行に固定されている。袖フレーム１７の直立部１７ａの上端部には肘掛け１８の端部が軸１８ａを介して使用位置と収納位置とに回動可能に軸支され、台枠フレーム１２には、各座ぶとんシート１３を支持するための座パン２０が固定されている。
【００１８】
背摺りフレーム１９およびテーブル支え板２３は、支持軸２５および中空カラー２８によって直立部１７ａに揺動自在に支持されている。例えば、中空カラー２８が背摺りフレーム１９およびテーブル支え板２３の軸穴を貫通して挿入され、さらに中空カラー２８を貫通して支持軸２５が挿入される。そうして支持軸２５の先端部に形成された雄ねじが、直立部１７ａに形成された軸受け雌ねじに螺入され、支持軸２５のヘッド部２５ａが中空カラー２８を直立部１７ａに圧接して、支持軸２５および中空カラー２８が直立部１７ａに固定されている。背摺りフレーム１９およびテーブル支え板２３は、中空カラー２８の外周面と摺接しながら回動する。また、背摺りフレーム１９とテーブル支え板２３との間には、背摺りフレーム１９およびテーブル支え板２３が干渉しないように離反させ、かつ独立して回動自在とするスペーサが介在されている。
【００１９】
なお、この実施形態の支持軸２５は、先端部に雄ねじが切られたボルトと同様の構成である。なお、軸受け雌ねじは、図示しないが、通常は直立部１７ａの側面に補強用のボス（円筒部）が一体に突設され、このボスから直立部１７ａ内部まで切られている。
【００２０】
さらにこの実施形態では、中空カラー２８のフランジ部２８ａとテーブル支え板２３との間に、連結板２７の一方の端部が嵌合されている。連結板２７は、支持軸２５と支え板ストッパ２６とを互いに連結して補強する部材である。
【００２１】
連結板２７の他方の端部は、円柱状の支え板ストッパ２６の他端部に嵌合固定されている。支え板ストッパ２６は、一方の端部が、袖フレーム１７の直立部１７ａの側面に形成されたボス穴１７ｃに圧入固定されている。支持軸２５および支え板ストッパ２６は、台枠フレーム１２と平行に固定されている。
【００２２】
テーブル支え板２３には、支持軸２５の近傍部分に、テーブル支え板２３を使用位置で停止させるためのストッパ片２３ｃが形成されていて、このストッパ片２３ｃの端面にストッパボルト２９が螺入されている。使用状態ではストッパボルト２９が支え板ストッパ２６に当接して、テーブル支え板２３が使用位置を超えて収納位置とは反対方向に回動しないように回動規制される。このストッパボルト２９の突出量を調整することにより、テーブル支え板２３の使用位置における傾斜調整ができる。
【００２３】
この実施形態では、テーブル支え板２３と袖フレーム１７との間に、テーブル支え板２３を使用位置から収納位置方向に回動付勢する弾性付勢手段が装着されている。この実施形態の弾性付勢手段は、テーブル支え板２３を、アウターケーシング３４内に挿通されたインナーケーブル３３を介して引張ばね３５により引張り、使用位置から収納位置方向に回動するように付勢している。
【００２４】
アウターケーシング３４内に挿通されたインナーケーブル３３はそれぞれ可撓性を有し、インナーケーブル３３は両端部がアウターケーシング３４の両端部から突出した状態で、アウターケーシング３４内を摺動自在に移動する、フレキシブルなケーブルである。アウターケーシング３４の一方の端部から引き出されたインナーケーブル３３の端部はＵ字金具３１に連結されていて、該Ｕ字金具３１が、テーブル支え板２３の軸部近傍部分にその両側面を挟むように嵌合されてこれらを貫通する軸ピン３１ａによって揺動自在に連結されている。アウターケーシング３４の他方の端部から突出したインナーケーブル３３の端部には連結金具３２を介して引張ばね３５の一方の端部が連結され、引張ばね３５の他方の端部が固定構造物としての袖フレーム１７に対して連結されている。
【００２５】
アウターケーシング３４の一方の端部は、袖フレーム１７の直立部１７ａに固定されたブラケット３６に支持され、他方の端部は、袖フレーム１７の水平部１７ｂに固定されたブラケット３７に支持されている。ブラケット３６はＬ字形状を呈し、直立部１７ａに溶接等によって固定されている。ブラケット３７は、水平部１７ｂに溶接等により固定されていて、水平部１７ｂに沿って延びる部分の両端部から屈曲して対向する一対の起立片３７ａ、３７ｂを備えている。ブラケット３７の一方の起立片３７ａにアウターケーシング３４の他方の端部が支持され、他方の起立片３７ｂに引張ばね３５の他方の端部が連結（係合）されている。
【００２６】
なお、通常、アウターケーシング３４の両端部には中空の調整雄ねじ３４ａ、３４ｂが回動自在にかつ抜けないように嵌合されている。さらに、調整雄ねじ３４ａとＵ字金具３１の間および調整雄ねじ３４ｂと連結金具３２との間には予めそれぞれに一対のロックナット３８ａ、３８ｂが嵌められ、一方のロックナット３８ａ、３８ｂが調整雄ねじ３４ａ、３４ｂに螺合され、他方のロックナット３８ａ、３８ｂは螺合されずにインナーケーブル３３に通された状態とされている。ブラケット３６、起立片３７ａにはスリット付き穴３６ａ、３７ｃが形成されている。これらのスリット付き穴３６ａ、３７ｃに、インナーケーブル３３がスリットから穴に差し込まれた後に、調整雄ねじ３４ａ、３４ｂがスリット付き穴３６ａ、３７ｃの穴に挿入される。そうして、一対のロックナット３８ａ、３８ｂを適宜回動させて、これらのロックナット３８ａ、３８ｂによってブラケット３６、起立片３７ａを挟圧し、固定する。また、ロックナット３８ａ、３８ｂを回転させて軸方向位置調整することにより、アウターケーシング３４の一方の端部（調整雄ねじ３４ａ）とＵ字金具３１までの間隔調整、他方の端部（調整雄ねじ３４ａ）と起立片３６ｂまでの間隔調整が可能である。この間隔調整によって、テーブル支え板２３が収納位置にあるときの引張ばね３５の遊び量の調整ができる。
【００２７】
この実施形態の動作は次の通りである。収納位置にある可動テーブル本体１２１がテーブルストッパ１６による掛止を解かれると、可動テーブル本体１２１とともにテーブル支え板２３が収納位置から使用位置方向に自重により回動を始める。その際、インナーケーブル３３がアウターケーシング３４の一方の端部側から引き出され、引張ばね３５が引き延ばされて、引張ばね３５に弾性応力が発生し、この弾性応力によってインナーケーブル３３からテーブル支え板２３に収納位置方向の回動付勢力が付与される。このようにテーブル支え板２３に収納位置方向の回動付勢力が付与されているので、使用者が手を離しても自重で急激に落下することがなく、可動テーブル本体１２１およびテーブル支え板２３は、引張ばね３５およびインナーケーブル３３を介して収納位置方向に付勢力が作用した状態でゆっくりと使用位置方向に回動し、ストッパボルト２９が支え板ストッパ２６に当接して停止する。そのため、ストッパボルト２９が支え板ストッパ２６に激しく衝突することが無く、衝撃や衝撃音を発生することもない。
【００２８】
引張ばね３５およびインナーケーブル３３を介しての収納位置方向への回動付勢力は、テーブル支え板２３が収納位置から使用位置方向に回転するに従って徐々に増加し、使用位置まで回動したときに最大になるように、テーブル支え板２３に対するＵ字金具３１の軸ピン３１ａの取り付け位置を設定するのが好ましい。
【００２９】
使用位置に引き出した可動テーブル本体１２１を収納位置に戻すときは、使用者が手で可動テーブル本体１２１の裏面に手を当てて、あるいは縁部を掴み、収納位置方向に回動させる。その際テーブル支え板２３には、インナーケーブル３３を介して引張ばね３５による収納位置方向への回動付勢力が作用するので、この付勢力が無い場合よりも弱い力で可動テーブル本体１２１およびテーブル支え板２３を収納位置まで持ち上げ、回動させることができる。しかも回転を阻止する摩擦部材が無いので、異音が発生することも無い。
【００３０】
一方、テーブル支え板２３が収納位置またはその近傍から収納位置までの間にあるときは、引張ばね３５は自然長となり、かつ遊びを生じるように設定することが好ましい。このように遊びを設けると、可動テーブル本体１２１を収納位置から引き出す操作が容易になるとともに、使用位置に引き出した可動テーブル本体１２１を収納位置に戻すときに、可動テーブル本体１２１が引張ばね３５の付勢力によってシートバック１４、収納部１５に勢いよく当たることがない。
【００３１】
なお、アウターケーシング３４、ブラケット３６、３７等の部材は、座パン２０に座ぶとんシート１３を載せたときに座ぶとんシート１３で隠される位置に、例えば溶接、またはねじ止めによって固定されている。また、ブラケット３６、３７の形状、構造、取付位置、アウターケーシング３４とブラケット３６、３７の取付構造等は、装着するシートの形状、構造に応じて適宜設定する。
【００３２】
また、本実施形態では、弾性部材として引張ばね３５を使用したが、弾性部材であれば、ゴム等でもよく、この実施形態では弾性部材が収縮する弾性応力によってインナーケーブル３３を引っ張っているが、弾性部材の他の実施例では、弾性部材が伸長する弾性応力によってインナーケーブル３３をアウターケーシング３４から引き出す構成とする。
【００３３】
次に、本発明の第２の実施形態について、図４乃至図６を参照して説明する。第２の実施形態では、テーブル支え板２３を使用位置から収納位置方向に付勢する弾性付勢手段としてねじりばねを備えていて、図示形態ではねじりばねとしてトーションスプリング５１を備えた。テーブル支え板２３は、軸部に形成された軸穴２３ｄに中空カラー２８が挿入され、中空カラー２８に支持軸２５が挿入される。そうしてテーブル支え板２３は、軸穴２３ｄの内周面が中空カラー２８の周面と摺接しながら回動する。
【００３４】
トーションスプリング５１は、一対のテーブル支え板２３の間において、台枠フレーム１２の外表面に沿った横方向に直線状に延びる支持部５１ａと、この支持部５１ａの両端部から台枠フレーム１２の曲面に沿っておよそ１／４周分曲がった湾曲部５１ｂと、両湾曲部５１ｂの先端部から径方向に屈曲したレバー部５１ｃとを備えていて、このレバー部５１ｃがテーブル支え板２３の対向面に形成された溝２３ｅ内に収納され、さらにレバー部５１ｃの先端部が相反する方向に屈曲した係合部５１ｄが、溝２３ｅの底部に形成された係止孔２３ｆに嵌合している。
【００３５】
トーションスプリング５１を台枠フレーム１２に固定する押え板６１は、台枠フレーム１２の外周面に嵌合する半割曲面形状に形成され、トーションスプリング５１の支持部５１ａの長さよりも短く形成されている。押え板６１は、内周面が台枠フレーム１２の外周面に密接する固定部６１ａと、該固定部６１ａの両端部において、湾曲部５１ｂを台枠フレーム１２の外周面との間で押圧固定する太径段差部６１ｂを備えている。そうしてこの押え板６１は、固定部６１ａに長手方向に所定間隔で形成された３個の穴を貫通し、台枠フレーム１２のねじ穴１２ａにねじ込まれるねじ６２によってねじ止めされる。その際、支持部５１ａは、固定部６１ａの直線縁部に当接し、レバー部５１ｃが太径段差部６１ｂの端部に当接して押え板６１を挟み、一対の湾曲部５１ｂがそれぞれ、固定部６１ａの両端の太径段差部６１ｂによって台枠フレーム１２の表面に押しつけられて、台枠フレーム１２に固定される。
【００３６】
トーションスプリング５１のレバー部５１ｃは、テーブル支え板２３が収納位置から使用位置方向に回動するに従って弾性応力が増加するように設定されている。テーブル支え板２３が収納位置にあるときはレバー部５１ｃが自由状態となるように設定することが好ましい。
【００３７】
この第２の実施形態において、収納状態にある可動テーブル本体１２１のテーブルストッパ１６の掛止を解除すると、可動テーブル本体１２１およびテーブル支え板２３の自重によって収納位置から使用位置方向に回動し始める。その際テーブル支え板２３の回動に従って、トーションスプリング５１の弾性応力が増して、テーブル支え板２３を収納位置方向に回動付勢する力が強くなる。したがって、使用者が可動テーブル本体１２１を収納位置から引き出した後手を離して自然落下させても、トーションスプリング５１の弾性応力によってテーブル支え板２３の回転速度が抑制されてゆっくりと可動テーブル本体１２１およびテーブル支え板２３が使用位置方向に回動し、ストッパボルト２９が支え板ストッパ２６に当接して停止する。その際ストッパボルト２９が支え板ストッパ２６に激しく衝突することが無く、衝撃や衝撃音を発生することもない。
【００３８】
使用位置に引き出した可動テーブル本体１２１を収納位置に戻すときは、使用者が手で可動テーブル本体１２１の裏面に手を当てて、あるいは縁部を掴んで収納位置方向に回動させる。その操作の際に、テーブル支え板２３にはトーションスプリング５１のレバー部５１ｃの弾性応力によって収納位置方向へ回動付勢されているので、この付勢が無い場合に比して小さな力で可動テーブル本体１２１を収納位置まで戻すことができる。しかも回転を阻止する摩擦部材が無いので、異音が発生することも無い。さらに第２の実施形態では、トーションスプリング５１のレバー部５１ｃをテーブル支え板２３に形成した溝２３ｅ内に収納したので、凸部が発生せず他の部材との干渉の虞れが無く、コンパクトに装着できる。
【００３９】
この第２の実施形態において、トーションスプリング５１は、テーブル支え板２３が使用状態に位置するときは、中立状態となるか、弱い力でテーブル支え板２３を収納位置を超える方向に回動付勢するように設定し、使用位置ではストッパボルト２９が支え板ストッパ２６から離反しない程度の回動付勢力が作用するように設定しておくのが好ましい。
【００４０】
以上の通り本発明によれば、可動テーブル本体１２１を収納位置と使用位置とに移動自在に支持するテーブル支え板２３をばね部材によって使用位置から収納位置方向に回動付勢してあるので、テーブル支え板２３が回動しているときに回動を抑制する摩擦力が働かず滑らかに回動し、しかも使用位置から収納位置方向に回動付勢力が働くので、収納する際には小さな操作力で収納させることができる。
【００４１】
以上の図示テーブル支え板２３は一対の背摺りフレーム１９の内側に位置させたが、外側に位置させた構造にも適用できる。また、テーブル支え板２３を背摺りフレーム１９と同一の支持軸２５に枢支させたが、背摺りフレーム１９とは別軸に枢支させた構造にも適用できる。
【図面の簡単な説明】
【００４２】
【図１】本発明の第１の実施形態であるテーブル支え板の下端軸部周辺を示す斜視図である。
【図２】同第１の実施形態の主要構成を示す側面図である。
【図３】図２の矢視III方向から見た平面図である。
【図４】本発明の第２の実施形態であるテーブル支え板の下端軸部周辺を分解して示す斜視図である。
【図５】同第２の実施形態の主要構成を示す、（Ａ）は収納状態の断面図、（Ｂ）は使用状態の断面図である。
【図６】図５（Ａ）の切断線VI-VIに沿う断面図である。
【図７】鉄道車両用の３人掛けシートを前方から見た斜視図である。
【図８】鉄道車両用の３人掛けシートを後方から見た斜視図である。
【図９】公知のシートバック背面用テーブルの支持構造の要部を示す断面図である。
【符号の説明】
【００４３】
１２  台枠フレーム
１４  シートバック
１７  袖フレーム
１７ａ  直立部
１７ｂ  水平部
１９  背摺りフレーム
２３  テーブル支え板
２３ｅ  溝
２５  支持軸
２６  支え板ストッパ
２７  連結板
２８  中空カラー
２９  ストッパボルト
３１  Ｕ字金具
３１ａ  軸ピン
３２  連結金具
３３  インナーケーブル
３４  アウターケーシング
３４ａ  調整雄ねじ
３４ｂ  調整雄ねじ
３５  引張ばね
３６  ブラケット
３７  ブラケット
５１  トーションスプリング
５１ａ  支持部
５１ｂ  湾曲部
５１ｃ  レバー部
６１  押え板
６１ａ  固定部
６１ｂ  太径段差部
１２１  可動テーブル本体
【図１】
2006327286.tif 000003
【図２】
2006327286.tif 000004
【図３】
2006327286.tif 000005
【図４】
2006327286.tif 000006
【図５】
2006327286.tif 000007
【図６】
2006327286.tif 000008
【図７】
2006327286.tif 000009
【図８】
2006327286.tif 000010
【図９】
2006327286.tif 000011